(57)【要約】【課題】筐体内部のメンテナンスを行うことが容易な画像表示装置を提供する。【解決手段】本発明に係る画像表示装置は、筐体１に、画像表示パネル２と、該画像表示パネル２の動作を制御する回路基板23とが収容され、筐体１の内部には、画像表示パネル２の背面側に、回路基板23を設置するための設置板13が配備されている。該設置板13はヒンジ機構92によって筐体１に連結され、画像表示パネル２の背面とは反対側へ向けて横開きすることが可能である。【選択図】図３
2011022306.tif 000002
【特許請求の範囲】
【請求項１】
筐体に、画像表示パネルと、該画像表示パネルの動作を制御する回路基板とが収容されている画像表示装置において、前記筐体の内部には、画像表示パネルの背面側に、前記回路基板を設置するための設置板が配備され、該設置板はヒンジ機構によって前記筐体に連結され、画像表示パネルの背面とは反対側へ向けて横開きすることを特徴とする画像表示装置。
【請求項２】
前記筐体は、背面に開口部が形成されている本体と、該本体の開口部を塞ぐ背面壁とから構成されており、該背面壁は第２のヒンジ機構によって筐体の本体に連結され、画像表示パネルの背面とは反対側へ向けて横開きする請求項１に記載の画像表示装置。
【請求項３】
前記第２のヒンジ機構は、前記筐体の背面壁を前記設置板が横開きする方向とは逆側に横開きさせるものである請求項２に記載の画像表示装置。
【請求項４】
筐体に収容された画像表示パネルと、画像表示パネルの動作を制御する回路基板と、画像表示パネルの背面側に配置されて回路基板が設置される設置板とを具え、該設置板は、筐体に対して回動可能である画像表示装置。
【発明の詳細な説明】
【技術分野】
【０００１】
本発明は、平面型の画像表示パネルを具えた画像表示装置に関する。
【背景技術】
【０００２】
従来、この種の画像表示装置（例えば特許文献１参照）は、その殆どが屋内に設置することを前提として設計されたものであり、従来の画像表示装置には、風雨やダスト等から画像表示パネルを保護する対策が施されていなかった。このため、従来の画像表示装置は、屋外に常設することが困難であった。
【０００３】
しかし近年、上記画像表示装置を屋外に常設することが望まれている。その理由として、平面型の画像表示パネルを具えた画像表示装置はその厚さ寸法が小さいこと等が挙げられる。厚さ寸法が小さいと、狭い場所への画像表示装置の設置が可能となる。
【０００４】
上記画像表示装置において、画像表示パネルの動作を制御する回路基板は該画像表示パネルの背面側に配備されており、画像表示パネルを背面側からメンテナンスする場合、従来は、画像表示パネルの背面側に配備されている回路基板を取り外す必要があった。
【先行技術文献】
【特許文献】
【０００５】
【特許文献１】特開２００５−２８６９８７号公報
【発明の概要】
【発明が解決しようとする課題】
【０００６】
しかし、屋外設置用の画像表示装置には、その表示画面を大きくするべく大型の画像表示パネルを配備したものが多く、画像表示パネルが大型化すると、画像表示パネルのメンテナンスを行うときに必要な回路基板を取り外す作業でさえも煩雑化する問題がある。
【０００７】
又、画像表示パネルの大型化に伴って筐体も大型化する。画像表示パネルのメンテナンスを行う場合、筐体の一部を取り外す必要があるが、筐体が大型化すると該筐体の一部を取り外す作業でさえも煩雑化する問題がある。又、筐体の大型化に伴って筐体の重量が重くなるため、筐体の一部を取り外したときに該筐体の一部が落下して作業者に被害が及ぶ虞がある。
【０００８】
そこで本発明の目的は、筐体内部のメンテナンスを行うことが容易な画像表示装置を提供することである。
【課題を解決するための手段】
【０００９】
本発明に係る第１の画像表示装置は、筐体に、画像表示パネルと、該画像表示パネルの動作を制御する回路基板とが収容されている画像表示装置であって、前記筐体の内部には、画像表示パネルの背面側に、前記回路基板を設置するための設置板が配備され、該設置板はヒンジ機構によって前記筐体に連結され、画像表示パネルの背面とは反対側へ向けて横開きする。
【００１０】
上記第１の画像表示装置のおいては、何らかの手段によって筐体の背面壁を取り除いた後、回路基板が設置されている設置板を横開きするだけで、画像表示パネルの背面を露出させることが出来る。よって、画像表示パネルのメンテナンスを行うときでも、従来の如く回路基板を取り外す作業が不要であり、上記画像表示装置においては、画像表示パネルのメンテナンスを行うことが容易である。
【００１１】
上記第１の画像表示装置の具体的構成において、前記筐体は、背面に開口部が形成されている本体と、該本体の開口部を塞ぐ背面壁とから構成されており、該背面壁は第２のヒンジ機構によって筐体の本体に連結され、画像表示パネルの背面とは反対側へ向けて横開きする。
該具体的構成によれば、筐体の背面壁を横開きするだけで筐体の背面壁を取り除くことが出来るので、筐体内部を背面側からメンテナンスするときに必要な作業、具体的には背面壁を取り除く作業が簡略化されることになる。又、筐体の背面壁は、第２のヒンジ機構によって筐体の本体に連結されているので、背面壁が本体から脱落することがなく、従って作業者に被害が及ぶ虞がない。
【００１２】
より具体的な構成において、前記第２のヒンジ機構は、前記筐体の背面壁を前記設置板が横開きする方向とは逆側に横開きさせるものである。
【００１３】
本発明に係る第２の画像表示装置は、筐体に収容された画像表示パネルと、画像表示パネルの動作を制御する回路基板と、画像表示パネルの背面側に配置されて回路基板が設置される設置板とを具え、該設置板は、筐体に対して回動可能である。
【００１４】
上記第２の画像表示装置においては、設置板を回動するだけで、画像表示パネルの背面を露出させることが出来る。よって、画像表示パネルのメンテナンスを行うときでも、従来の如く回路基板を取り外す作業が不要であり、上記画像表示装置においては、画像表示パネルのメンテナンスを行うことが容易である。
【発明の効果】
【００１５】
本発明に係る画像表示装置によれば、筐体内部のメンテナンスを行うことが容易となる。
【図面の簡単な説明】
【００１６】
【図１】図１は本発明の一実施形態に係る画像表示装置を前面側から見た斜視図である。
【図２】図２は上記画像表示装置を背面側から見た斜視図である。
【図３】図３は上記画像表示装置が具える筐体の背面壁を横開きした状態を示した斜視図である。
【図４】図４は該筐体内に配備されている設置板を横開きした状態を示した斜視図である。
【発明を実施するための形態】
【００１７】
以下、本発明の実施の形態につき、図面に沿って具体的に説明する。
図１は、本発明の一実施形態に係る画像表示装置を前面側から見た斜視図である。図１に示す様に、画像表示装置は、筐体(１)と、筐体(１)内に配備されている液晶表示パネル(２)と、筐体(１)を支持するためのキャスタ付き支持台(３)と、冷却装置(４)とを具えている。
【００１８】
筐体(１)の内部には、液晶表示パネル(２)が収容された収容室(５)が形成されており、該収容室(５)は、収容室(５)内の空間を密閉する構造を有している。従って、収容室(５)内の液晶表示パネル(２)は外気に接することがなく、画像表示装置を屋外に設置することが可能である。即ち、画像表示装置を屋外に設置したとき、収容室(５)内の画像表示パネル(２)は風雨やダストから保護されることになる。ここで、収容室(５)内の空気は、冷却装置(４)によって冷却される。
【００１９】
図２〜図４は、上記画像表示装置を背面側から見た斜視図である。図２及び図３に示す様に、筐体(１)は、背面に開口部(1a)が形成されている本体(11)と、該本体(11)の開口部(1a)を塞ぐ背面壁(12)とから構成されている。筐体(１)の背面壁(12)は、ヒンジ機構(91)によって筐体(１)の一方（図３において右側）の側面位置にて筐体(１)の本体(11)に連結され、液晶表示パネル(２)の背面とは反対側へ向けて横開きすることが可能である。従って、筐体(１)の背面壁(12)が横開きされたとき、該背面壁(12)は、図３に示す如く筐体(１)の本体(11)の右側へ開くことになる。
【００２０】
図３に示す様に筐体(１)には、液晶表示パネル(２)の他に、該液晶表示パネル(２)の動作を制御する複数の回路基板(23)・・・(23)が収容されており、該複数の回路基板(23)・・・(23)は、筐体(１)内に配備されている設置板(13)の表面に設置されている。
【００２１】
ここで、設置板(13)は、ヒンジ機構(92)によって筐体(１)の他方（図３において左側）の側面位置にて筐体(１)の本体(11)に連結され、液晶表示パネル(２)の背面とは反対側へ向けて横開きすることが可能である。従って、設置板(13)が横開きされたとき、設置板(13)は、図４に示す如く筐体(１)の本体(11)の左側へ開くことになる。
即ち、２つのヒンジ機構(91)(92)は、筐体(１)の背面壁(12)と設置板(13)とを互いに逆側に横開きさせるものである。
【００２２】
上記画像表示装置においては、筐体(１)の背面壁(12)を横開きするだけで筐体(１)の背面壁(12)を取り除くことが出来るので、筐体(１)の内部を背面側からメンテナンスするときに必要な作業、具体的には背面壁(12)を取り除く作業が簡略化されることになる。又、筐体(１)の背面壁(12)は、ヒンジ機構(91)によって筐体(１)の本体(11)に連結されているので、背面壁(12)は本体(11)から脱落することがなく、従って作業者に被害が及ぶ虞がない。
【００２３】
又、上記画像表示装置においては、筐体(１)の背面壁(12)を横開きした後、回路基板(23)が設置されている設置板(13)を横開きするだけで、図４に示す様に収容室(５)を構成する背面壁(51)が露出することになる。よって、収容室(５)の内部のメンテナンスを行うときでも、従来の如く回路基板(23)を取り外す作業が不要であり、上記画像表示装置においては、収容室(５)の内部のメンテナンス、具体的には画像表示パネル(２)のメンテナンスを行うことが容易である。尚、収容室(５)の内部のメンテナンスを行う場合、収容室(５)を構成する背面壁(51)は取り外される。
【００２４】
尚、本発明の各部構成は上記実施の形態に限らず、特許請求の範囲に記載の技術的範囲内で種々の変形が可能である。例えば、上記画像表示装置に採用した各種構成は、液晶表示パネル(２)を具えた画像表示装置に限らず、プラズマ表示パネルや有機ＥＬ（Electro-Luminescence）表示パネル等の平面型の画像表示パネルを具えた種々の画像表示装置に適用することが出来る。
【符号の説明】
【００２５】
(１)  筐体
(11)  本体
(12)  背面壁
(13)  設置板
(２)  液晶表示パネル（画像表示パネル）
(23)  回路基板
(91)  ヒンジ機構（第２のヒンジ機構）
(92)  ヒンジ機構
【図１】
2011022306.tif 000003
【図２】
2011022306.tif 000004
【図３】
2011022306.tif 000005
【図４】
2011022306.tif 000006